(57)【要約】【課題】ワイヤハーネスの結束作業性が良く、汎用性の高いワイヤハーネスの分岐部結束具及び分岐部結束方法を提供する。【解決手段】ワイヤハーネスの分岐部結束具１１は、放射状に延びる８本の巻着部３３を備えた結束バンド３２と、ワイヤハーネスの分岐部を束ねた巻着部３３の先端が挿通される環状本体２２と、環状本体２２内に圧入することにより巻着部３３の先端側を結束した状態で一括挟持する嵌挿部材１２と、を備えている。【選択図】        図１
2004364384.tif 000002
【特許請求の範囲】
【請求項１】
放射状に延びる複数本の巻着部を備えた結束バンドと、ワイヤハーネスの分岐部を束ねた前記巻着部の先端が挿通される環状本体と、前記環状本体内に圧入することにより前記巻着部の先端側を結束した状態で一括挟持する嵌挿部材と、を備えていることを特徴とするワイヤハーネスの分岐部結束具。
【請求項２】
前記嵌挿部材が、前記環状本体との間で前記巻着部の先端を挿通可能とするクリアランスをもって仮係止状態とする仮係止手段と、挿通された前記結束バンドの各先端部を挟持状態とする本係止手段とを備えていることを特徴とする請求項１に記載のワイヤハーネスの分岐部結束具。
【請求項３】
前記結束バンドが、中央部分で互いに相対回転自在に軸着された複数本の直線状の巻着部材から成ることを特徴とする請求項１又は請求項２に記載のワイヤハーネスの分岐部結束具。
【請求項４】
放射状に延びる複数本の巻着部を備えた結束バンドをワイヤハーネスの分岐部に巻き付けて結束させた後、前記巻着部の先端側部分を熱溶着して固定することを特徴とするワイヤハーネスの分岐部結束方法。
【発明の詳細な説明】
【０００１】
【発明の属する技術分野】
本発明は、ワイヤハーネスの分岐部を結束する為のワイヤハーネスの分岐部結束具及び分岐部結束方法に関する。
【０００２】
【従来の技術】
従来のワイヤハーネスの製造方法においては、ワイヤハーネスを形成する全ての電線の布線が終了した後、コネクタ等が取付けられるワイヤハーネスの端末部や分岐部などのハーネス要所部分を粘着テープによって結束している。
一般に、ワイヤハーネスには多数の分岐部があり、これら分岐部の位置によってワイヤハーネスが所定の配索形態に結束されるように、複数の分岐部間の電線群の規程寸法が管理されている。
【０００３】
一方、これら分岐部を保持すると共に係止部を車体や機器に係止して、ワイヤハーネスの配設姿勢を整えるワイヤハーネス用バンド型クランプが用いられている（特許文献１、参照）。
図１３に示した従来のワイヤハーネス用バンド型クランプは、車体への係止部６を立設した基部１に伸設されてワイヤハーネスに巻き付ける２本の分岐巻着バンド２Ａ，２Ｂを、基部１の挿通係止孔３Ａ，３Ｂに通して係止する電線分岐部に取り付けるものである。
【０００４】
そして、基部１には、分岐巻着バンド２Ａ，２Ｂを個別に挿通する挿通係止孔３Ａ，３Ｂが貫設して並設されると共に、挿通係止孔３Ａ，３Ｂのそれぞれは、分岐巻着バンド２Ａ，２Ｂの幅に対して概ね２倍の幅広形状を有し、分岐巻着バンド２Ａ，２Ｂを、その幅広の挿通係止孔３Ａ，３Ｂの任意ポイントで通せるようになっている。
【０００５】
更に、挿通係止孔３Ａ，３Ｂの底面には、先端部位に係止爪を有する複数の弾性片持梁の係止片８が、挿通係止孔３Ａ，３Ｂの幅方向に分設されて群をなしている。
そこで、ワイヤハーネス用バンド型クランプは、分岐巻着バンド２Ａ，２Ｂの中間に、ワイヤハーネスの主幹線１０からＴ字状に分岐されたの分岐電線束９を入れて、分岐巻着バンド２Ａ，２Ｂを主幹線１０に巻き付けると共に、先端部分を挿通係止孔３Ａ，３Ｂに通し、係止片８の係止爪と分岐巻着バンド２Ａ，２Ｂの係止溝７を噛み合わせて緊締係止することにより、ワイヤハーネスの電線分岐部に取り付けられる。
【０００６】
【特許文献１】
実開平６−６５６８３号公報
【０００７】
【発明が解決しようとする課題】
ところが、実際のワイヤハーネスの布設作業時に、複数の分岐部に粘着テープを巻き付けて結束する際には、ワイヤハーネスを配索治具から一旦持ち上げて結束したり、布線位置から退避自在に構成された配索治具を退避させたりしなければならず、ワイヤハーネスの結束作業性が良くなかった。
【０００８】
また、上述したワイヤハーネス用バンド型クランプは、挿通係止孔３Ａ，３Ｂの底面に設けられた係止片８の係止爪と、分岐巻着バンド２Ａ，２Ｂの内側に形成された係止溝７と、を噛み合わせて緊締係止する構造であり、分岐巻着バンド２Ａ，２Ｂが、挿通係止孔３Ａ，３Ｂに対して大きく傾いて通すことができない場合には、緊締係止することができない。
【０００９】
そこで、粘着テープの代わりに、上記ワイヤハーネス用バンド型クランプだけを用いて多様な分岐形状をもった分岐部の結束を行う場合には、分岐部の形状に合わせて種々のバンド形状のクランプを用意しなければならず、コストアップを招くと共に、作業が煩雑になるという問題がある。
【００１０】
従って、本発明の目的は上記課題を解消することに係り、ワイヤハーネスの結束作業性が良く、汎用性の高いワイヤハーネスの分岐部結束具及び分岐部結束方法を提供することである。
【００１１】
【課題を解決するための手段】
本発明の上記目的は、放射状に延びる複数本の巻着部を備えた結束バンドと、ワイヤハーネスの分岐部を束ねた前記巻着部の先端が挿通される環状本体と、前記環状本体内に圧入することにより前記巻着部の先端側を結束した状態で一括挟持する嵌挿部材と、を備えていることを特徴とするワイヤハーネスの分岐部結束具により達成される。
【００１２】
上記構成のワイヤハーネスの分岐部結束具によれば、ワイヤハーネスの分岐部を束ねた巻着部の先端を環状本体に挿通した後、該環状本体内に嵌挿部材を圧入することで、前記巻着部の先端側を結束した状態で一括挟持することができる。
【００１３】
この際、ワイヤハーネスの分岐部を束ねた巻着部の先端は、窄めるように環状本体に挿通するだけで良く、巻着部の先端が、環状本体に対して大きく傾いて通すことができないという事はない。又、挿通された巻着部の先端は、環状本体内に圧入される嵌挿部材により一括挟持されるので、巻着部の表裏や向き等に係わらず容易に挟持固定することができる。
そこで、粘着テープの代わりに、上記分岐部結束具だけを用いて多様な分岐形状をもった分岐部の結束を行うことができる。
【００１４】
尚、好ましくは、前記嵌挿部材が、前記環状本体との間で前記巻着部の先端を挿通可能とするクリアランスをもって仮係止状態とする仮係止手段と、挿通された前記結束バンドの各先端部を挟持状態とする本係止手段とを備えている。
そこで、ワイヤハーネスの布設作業時に分岐部を束ねる際、前記嵌挿部材が、環状本体に対して仮係止状態とされるので、結束作業性が向上する。
【００１５】
又、好ましくは、前記結束バンドが、中央部分で互いに相対回転自在に軸着された複数本の直線状の巻着部材から成る。
この場合、ワイヤハーネスの分岐部の数や形状、大きさに応じて、この分岐部を束ねる各巻着部が、それぞれ分岐部の外周面に倣って互いに相対回転できるので、より確実に結束を行うことができる。
【００１６】
又、本発明の目的は、放射状に延びる複数本の巻着部を備えた結束バンドをワイヤハーネスの分岐部に巻き付けて結束させた後、前記巻着部の先端側部分を熱溶着して固定することを特徴とするワイヤハーネスの分岐部結束方法により達成される。
【００１７】
上記構成によれば、ワイヤハーネスの分岐部を束ねた巻着部の先端側部分を熱溶着することで、前記巻着部の先端側部分を容易に一括固定することができる。
即ち、ワイヤハーネスの分岐部を束ねた巻着部の先端側をまとめて加熱するだけで良く、巻着部の表裏や向き等に係わらず容易に熱溶着することができる。
そこで、粘着テープの代わりに、上記結束バンドだけを用いて多様な分岐形状をもった分岐部の結束を行うことができる。
【００１８】
【発明の実施の形態】
以下、添付図面に基づいて本発明の一実施形態に係るワイヤハーネスの分岐部結束具及び分岐部結束方法を詳細に説明する。
図１は本発明の第１実施形態に係るワイヤハーネスの分岐部結束具を示す全体斜視図、図２は図１に示した環状本体及び嵌挿部材の分解斜視図、図３及び図４は図１に示したワイヤハーネスの分岐部結束具の取付け手順を示す斜視図、図５は図３に示した環状本体及び嵌挿部材の縦断面図、図６は図４に示した環状本体及び嵌挿部材の縦断面図、図７は図４に示したワイヤハーネスの分岐部結束具の縦断面図である。
【００１９】
本第１実施形態のワイヤハーネスの分岐部結束具１１は、図１及び図２に示したように、放射状に延びる複数本の巻着部３３を備えた結束バンド３２と、ワイヤハーネスの分岐部を束ねた前記巻着部３３の先端が挿通される環状本体２２と、前記環状本体２２内に圧入することにより前記巻着部３３の先端側を結束した状態で一括挟持する嵌挿部材１２と、を備えている。
【００２０】
前記結束バンド３２は、図１に示すように、枢支ピン３７により中央部分で互いに相対回転自在に軸着された４本の直線状の合成樹脂製の巻着部材３５から成り、８本の巻着部３３を形成している。
前記嵌挿部材１２は、図２に示すように、段部１４を備えた略円柱状の本体部１３と、該本体部１３の大径側（図２中、上方側）の外周面端部に直径方向に沿ってそれぞれ延設された一対のロックアーム１５，１５と、該本体部１３の小径側（図２中、下方側）の外周面端部にそれぞれ突設された一対の仮係止用突起１７，１７と、を備えている。
【００２１】
前記ロックアーム１５は、それぞれ半径方向外方へ延びるアーム部１５ａの先端に垂下された可撓係止片の先端内側に係止突起１６が形成されている。
前記環状本体２２は、図２に示すように、略円筒状の合成樹脂製部材であり、各開口端部側で内径の異なる内周面２２ａ，２２ｂと、周方向段部２４と、を備えている。
【００２２】
更に、前記環状本体２２の内部には、前記嵌挿部材１２の一対の仮係止用突起１７，１７とそれぞれ係合して、該嵌挿部材１２を仮係止する為の一対の仮係止用係合部２６，２６が設けられている。また、前記環状本体２２の外部には、前記嵌挿部材１２の一対のロックアーム１５，１５とそれぞれ係合して、該嵌挿部材１２を本仮係止する為の一対の本係止用係合突起２５，２５が設けられている。
【００２３】
即ち、それぞれ別体で形成された前記環状本体２２と前記嵌挿部材１２とは、各仮係止用突起１７が対応する仮係止用係合部２６に係合するように、該嵌挿部材１２の先端を前記環状本体２２内に挿入させることで、図１に示したような仮係止状態となる仮係止手段を備えている。
【００２４】
尚、仮係止状態においては、前記環状本体２２の内面と前記嵌挿部材１２の外面との間には、前記結束バンド３２の各巻着部３３を挿通可能とするクリアランスが形成されている。
そして、前記嵌挿部材１２の先端を前記環状本体２２内に更に圧入させると、各ロックアーム１５の係止突起１６が前記本係止用係合突起２５に係合し、本係止状態となる本係止手段を備えている。
【００２５】
次に、上述した本第１実施形態に係るワイヤハーネスの分岐部結束具１１を用いて、ワイヤハーネスの分岐部を結束する手順を説明する。
先ず、図１に示すように、仮係止状態とされた前記環状本体２２及び前記嵌挿部材１２と、前記結束バンド３２とを用意する。
【００２６】
そして、図３に示すように、ワイヤハーネスの主幹線１０と分岐電線９の分岐部を前記結束バンド３２の上に載せた後、各巻着部３３を該分岐部に巻き付けると共に、先端部分を前記環状本体２２と前記嵌挿部材１２との間の間隙に通して窄めるように挿通させる。
【００２７】
この時、環状本体２２及び嵌挿部材１２は、図５に示すように、仮係止用突起１７が対応する仮係止用係合部２６の係止部２６ａに係止された仮係止状態とされており、各巻着部３３の挿通作業が容易である。又、前記結束バンド３２は、中央部分で互いに相対回転自在に軸着された４本の直線状の巻着部材３５から成り、前記分岐部を束ねる各巻着部３３が、それぞれ分岐部の外周面に倣って互いに相対回転できるので、より確実に結束を行うことができる。
【００２８】
次に、前記各巻着部３３の先端部分を束ねるようにして押さえながら、前記環状本体２２及び前記嵌挿部材１２を分岐部側に移動させて緊縛した状態で、該嵌挿部材１２を環状本体２２内に更に押し込んで圧入させ、図４に示すような結束状態とする。
この時、環状本体２２及び嵌挿部材１２は、図６に示すように、各ロックアーム１５の係止突起１６が前記本係止用係合突起２５に係合した本係止状態とされ、図７に示すように、前記巻着部３３の先端側を結束した状態で一括挟持する。
【００２９】
尚、これら環状本体２２の内周面及び嵌挿部材１２の外周面には、それぞれ周方向段部２４及び段部１４が形成されており、図７に示したように、挟持された巻着部３３はクランク状に屈曲して緊締されるので、容易に抜け出すことはない。
また、分岐部結束具１１より上方へ延びた巻着部３３の先端側は、不要となるので、適宜切断しても良い。
【００３０】
即ち、本第１実施形態に係るワイヤハーネスの分岐部結束具１１によれば、ワイヤハーネスの分岐部を束ねた結束バンド３２の巻着部３３の先端を、嵌挿部材１２が仮係止状態とされた環状本体２２に挿通した後、該環状本体２２内に嵌挿部材２１を圧入することで、前記巻着部３３の先端側を結束した状態で一括挟持することができる。
【００３１】
この際、ワイヤハーネスの分岐部を束ねた巻着部３３の先端は、窄めるように環状本体２２に挿通するだけで良く、巻着部３３の先端が、環状本体２２に対して大きく傾いて通すことができないという事はない。
又、挿通された巻着部３３の先端は、環状本体２２内に圧入される嵌挿部材１２により一括挟持されるので、巻着部３３の表裏や向き等に係わらず容易に挟持固定することができる。
そこで、粘着テープの代わりに、上記分岐部結束具１１だけを用いて多様な分岐形状をもった分岐部の結束を行うことができ、汎用性も高い。従って、コストアップを招くことなく、結束作業を簡素化することができる。
【００３２】
尚、本発明に係るワイヤハーネスの分岐部結束具は、上記第１実施形態の分岐部結束具１１の構成に限定されるものではなく、本発明の趣旨に基づいて種々の形態を採りうることは言うまでもない。
例えば、図８に示したワイヤハーネスの分岐部結束具に係る嵌挿部材４１は、上面にウレタンシート４２が貼着されており、ワイヤハーネスが車体パネル等に配索された際、該嵌挿部材４１が車体パネルと接触して生じる異音の発生を防止できる。
【００３３】
又、図９に示したワイヤハーネスの分岐部結束具に係る嵌挿部材４５は、上面に車体パネル等への係止部４６が立設されており、ワイヤハーネスを車体パネルに配索する際、該嵌挿部材４５を介してワイヤハーネスを車体パネルに固定することができる。
【００３４】
図１０は本発明の第２実施形態に係るワイヤハーネスの分岐部結束方法を説明する為の斜視図、図１１は図１０に示した結束バンドを示す全体斜視図、図１２は図１１に示した結束バンドの取付け状態を示す斜視図である。
本第２実施形態に係る結束バンド５１は、図１０及び図１１に示すように、放射状に延びる８本の薄肉ビニル製の巻着部５３を備えている。
【００３５】
そして、前記結束バンド５１が、図１０に示したように、ワイヤハーネスを配索する布線台上の所定位置に配置された配索治具６０に予めセットされる。
この配索治具６０は、ワイヤハーネスの分岐部用の配索治具であり、それ以外の部分には公知の図示しない配索治具が用いられる。
前記配索治具６０は、斜め上方に放射状にそれぞれ拡がる８本のバンド保持部６１を備えており、これらバンド保持部６１は、複数の電線を布線してワイヤハーネスを配索する際の電線掛部を兼用している。
【００３６】
そこで、図１０の拡大図に示したように、前記バンド保持部６１の溝内にそれぞれ収容された前記結束バンド５１の巻着部５３は、開放縁に適宜設けられた係止爪６３により保持される。
そして、複数の電線の布線が完了した後、前記バンド保持部６１から巻着部５３を外し、前記各巻着部５３の先端部分をそれぞれ分岐部の外周面に倣って巻き付けるようにして束ねる。
【００３７】
次に、図１２に示したように、ワイヤハーネスの主幹線１０と分岐電線９の分岐部を収束した巻着部５３の先端部分が、図示しない熱溶着機で熱溶着して固定される。図中、符号５５が溶着部である。
即ち、本第２実施形態に係るワイヤハーネスの分岐部結束方法によれば、ワイヤハーネスの分岐部を束ねた巻着部５３の先端側部分を熱溶着することで、前記巻着部５３の先端側部分を容易に一括固定することができる。
【００３８】
そこで、ワイヤハーネスの分岐部を束ねた各巻着部５３の先端側をまとめて加熱するだけで良く、巻着部５３の表裏や向き等に係わらず容易に熱溶着することができる。
従って、粘着テープの代わりに、上記結束バンド５１だけを用いて多様な分岐形状をもった分岐部の結束を行うことができ、汎用性も高い。従って、コストアップを招くことなく、結束作業を簡素化することができる。
尚、上記各実施形態においては、巻着部３３及び巻着部５３が、それぞれ８本で構成されているが、本発明の巻着部はこれに限定されるものではない。
【００３９】
【発明の効果】
上述したように、本発明のワイヤハーネスの分岐部結束具によれば、ワイヤハーネスの分岐部を束ねた巻着部の先端を環状本体に挿通した後、該環状本体内に嵌挿部材を圧入することで、前記巻着部の先端側を結束した状態で一括挟持することができる。
【００４０】
この際、ワイヤハーネスの分岐部を束ねた巻着部の先端は、窄めるように環状本体に挿通するだけで良く、巻着部の先端が、環状本体に対して大きく傾いて通すことができないという事はない。又、挿通された巻着部の先端は、環状本体内に圧入される嵌挿部材により一括挟持されるので、巻着部の表裏や向き等に係わらず容易に挟持固定することができる。
そこで、粘着テープの代わりに、上記分岐部結束具だけを用いて多様な分岐形状をもった分岐部の結束を行うことができ、コストアップを招くことなく、結束作業を簡素化することができる。
【図面の簡単な説明】
【図１】本発明の第１実施形態に係るワイヤハーネスの分岐部結束具を示す全体斜視図である。
【図２】図１に示した環状本体及び嵌挿部材の分解斜視図である。
【図３】図１に示したワイヤハーネスの分岐部結束具の取付け手順を示す斜視図である。
【図４】図１に示したワイヤハーネスの分岐部結束具の取付け手順を示す斜視図である。
【図５】図３に示した環状本体及び嵌挿部材の縦断面図である。
【図６】図４に示した環状本体及び嵌挿部材の縦断面図である。
【図７】図４に示したワイヤハーネスの分岐部結束具の縦断面図である。
【図８】図２に示した環状本体及び嵌挿部材の変形例を示す分解斜視図である。
【図９】図２に示した環状本体及び嵌挿部材の他の変形例を示す分解斜視図である。
【図１０】本発明の第２実施形態に係るワイヤハーネスの分岐部結束方法を説明する為の斜視図である。
【図１１】図１０に示した結束バンドを示す全体斜視図である。
【図１２】図１１に示した結束バンドの取付け状態を示す斜視図である。
【図１３】従来のワイヤハーネス用バンド型クランプを示す斜視図及びその装着状態を示す斜視図である。
【符号の説明】
１１  分岐部結束具
１２  嵌挿部材
１５  ロックアーム（本係止手段）
１７  仮係止用突起（仮係止手段）
２２  環状本体
３２  結束バンド
３３  巻着部
【図１】
2004364384.tif 000003
【図２】
2004364384.tif 000004
【図３】
2004364384.tif 000005
【図４】
2004364384.tif 000006
【図５】
2004364384.tif 000007
【図６】
2004364384.tif 000008
【図７】
2004364384.tif 000009
【図８】
2004364384.tif 000010
【図９】
2004364384.tif 000011
【図１０】
2004364384.tif 000012
【図１１】
2004364384.tif 000013
【図１２】
2004364384.tif 000014
【図１３】
2004364384.tif 000015